(57)【要約】【課題】 複数の移動竿をブラインド面を過ぎる竿保持紐の線数を増加させることなく保持し、且つ個々の移動竿を単独に円滑に移動するブラインドを得る。【解決手段】 上部固定竿に各移動竿に対応する複数のリール軸を軸受を介して平行に設け、各リール軸に他の軸と同一位置にリール手段を設け、該リール手段から導孔を整列に垂下した各々の竿保持体によりそれぞれの移動竿を保持すると共に、上部固定竿を含むこれと繋がる部分にその移動動力手段と伝動手段と移動選択手段を設ける。【選択図】 図１
2005350852.tif 000002
【特許請求の範囲】
【請求項１】
上部固定竿（１１、１１′、１１″）の下に複数の移動竿（１２、１３、１４、１２′、１３′、１４′、１２″、１３″）を設け、前記上部固定竿内に前記複数の移動竿にそれぞれ対応し各々他の軸と同一位置に一組のリール手段（１５、１６、１７、１５′、１６′、１７′、１５″、１６″、１５°、１６°、１７°）を固定に備えるリール軸（１８、１９、２０、１８′、１９′、２０′、１８″、１９″、１８°、１９°、２０°）を各々前記上部固定竿側に設けた軸受（２１、２１′、２１″、２１°）を介して平行且つ回転自在に設け、前記各組のリール手段にそれぞれその一端を固定して巻かれた各組の竿保持体（２２、２３、２４、２２′、２３′、２４′、２２″、２３″、２２°、２３°、２４°）を水平遮蔽羽に空けた通孔（２５、２５′、２５″、２５°）と各移動竿に空けた導孔（２６、２６′、２６″、２６°）内を整列に貫通垂下せしめ各々その下端を各々の対応する移動竿に結合すると共に、前記上部固定竿を含むこれと繋がる部分に前記複数の移動竿の移動動力手段（１，１′、１″、１ｐ）と前記移動動力手段の駆動回転体（２７、２７′、２７″、２７ｐ）の回転を前記リール軸に回転連結する伝動手段（２、２′、２″、２ｐ）と移動する前記移動竿の選択をする移動選択手段（３、３′、３″、３ｐ）を設け前記各移動竿が独立して移動することを特徴とする上下に複数の遮蔽調節面を備える水平遮蔽羽のブラインド。
【請求項２】
上部固定竿（１１、１１′、１１″）の下に複数の移動竿（１２、１３、１４、１２′、１３′、１４′、１２″、１３″）を設け、前記上部固定竿内に前記複数の移動竿にそれぞれ対応し各々他の軸と同一位置に一組のテープリール（１５、１６、１７、１５′、１６′、１７′、１５″、１６″）を固定に備えるリール軸（１８、１９、２０、１８′、１９′、２０′、１８″、１９″）を各々前記上部固定竿側に設けた軸受（２１、２１′、２１″）を介して平行且つ回転自在に設け、前記各組のテープリールにそれぞれその一端を固定して巻かれた各組の竿保持テープ（２２、２３、２４、２２′、２３′、２４′、２２″、２３″）を水平遮蔽羽に空けたテープ孔（２５、２５′、２５″）と各移動竿に空けたテープ導孔（２６、２６′、２６″）内をテープ面を重ね合せにして貫通垂下せしめ各々その下端を各々の対応する移動竿に結合すると共に、前記上部固定竿を含むこれと繋がる部分に前記複数の移動竿の移動動力手段（１，１′、１″、１ｐ）と前記移動動力手段の駆動回転体（２７、２７′、２７″、２７ｐ）の回転を前記リール軸に回転連結する伝動手段（２、２′、２″、２ｐ）と移動する前記移動竿の選択をする移動選択手段（３、３′、３″、３ｐ）を設け前記各移動竿が独立して移動することを特徴とする上下に複数の遮蔽調節面を備える水平遮蔽羽のブラインド。
【請求項３】
各移動竿がリール軸（１８°、１９°、２０°）に回転連結に保持されるコードリール（１５°、１６°、１７°）から水平遮蔽羽に空けた通孔（２５°）と各移動竿に空けた導孔（２６°）内を横並びに貫通垂下させた各々の竿保持コード（２２°、２３°、２４°）に保持されていることを特徴とする請求項１記載の上下に複数の遮蔽調節面を備える水平遮蔽羽のブラインド。
【請求項４】
上部固定竿（１１、１１′）の下に各々独立して昇降する第一の移動竿（１２、１２′）と第二の移動竿（１３、１３′）と第三の移動竿（１４、１４′）を設け前記上部固定竿と前記第一の移動竿間に上部羽保持紐（２８、２８′）に保持された上部水平遮蔽羽（３０、３０′）の上部遮蔽調節面（５、５′）を前記第二の移動竿と前記第三の移動竿間に下部羽保持紐（２９、２９′）に保持された下部水平遮蔽羽（３１、３１′）の下部遮蔽調節面（６、６′）を設けると共に前記第一の移動竿と前記第二の移動竿間にその位置並びに間隔を独立に調節する眺望遮蔽調節面（７、７′）を設けたことを特徴とする請求項１記載の上下に複数の遮蔽調節面を備える水平遮蔽羽のブラインド。
【請求項５】
上部固定竿（１１）のリール軸（１８）の部位にその一端（３２）を前記上部固定竿側に固着し他端（３３）をリール軸の一部に固着し移動竿引上げ方向と反対の回転方向に捩じられた弾性体（３４）のテープ張り手段（４）を設けると共に、前記リール軸が移動動力手段の駆動回転体（２７）側に繋がる回転連結部に前記駆動回転体側の移動竿引き上げ方向の回転を伝達し反対方向の回転を伝達しない一方向クラッチ（３７）を設けたことを特徴とする請求項１記載の上下に複数の遮蔽調節面を備える水平遮蔽羽のブラインド。
【請求項６】
複数の移動竿の中で上位側に位置する移動竿（１２、１３、１２′、１３′）に対応するリール軸（１８、１９、１８′、１９′）の移動動力手段の駆動回転体（２７、２７′）側と繋がる回転連結部に回転の連結と切離しをする切換えクラッチ（４０、４１、４０′、４１′）を設けたことを特徴とする請求項１記載の上下に複数の遮蔽調節面を備える水平遮蔽羽のブラインド。
【請求項７】
上部固定竿（１１）内に各移動竿に対応する複数のリール軸（１８、１９、２０）を縦並びに軸受を介して平行且つ回転自在に設け、縦の一ウォーム軸線（４５）と交わる位置の各リール軸上にウォーム歯車（４２、４３、４４）を回転連結に設けると共に 、前記一ウォーム軸線上に前記各ウォーム歯車のそれぞれに噛合いその軸心部に軸方向に貫通する従動伝動孔（４６ａ、４６ｂ、４６ｃ）を備えるウォーム（４７、４８、４９）を縦並びに軸受（５０）を介して回転自在に設け、上部固定竿を含むこれと繋がる部分に回転自在に支持されその軸心部に駆動伝動孔（５１）を備え移動動力手段（１）の駆動回転体（２７）に回転連結された伝動回転体（５２）とその一方側に前記従動伝動孔に回転連結且つ軸方向に摺動自在に嵌め合う従動伝動頭部（５３ａ、５３ｂ）を固着に備え他方側に前記駆動伝動孔（５１）に回転連結且つ軸方向に摺動自在に嵌め合う駆動伝動頭部（５５）と保持部（５４）を固着に備える回転ロッド（５６）と前記回転ロッドの前記保持部を回転自在且つ選択スライド移動可能に保持する選択釦の移動選択手段（３）からなる伝動手段を備えることを特徴とする請求項１記載の上下に複数の遮蔽調節面を備える水平遮蔽羽のブラインド 。
【請求項８】
上部固定竿（１１）のウォーム軸線（４５）周りの手前側の位置に軸受（５６）を介して回転自在に支承され操作コード（５７）のシーブ（５８）と一体に結合され伝動回転体（５２）と回転連結された駆動回転体（２７）の手動の移動動力手段を備えることを特徴とする請求項７記載の上下に複数の遮蔽調節面を備える水平遮蔽羽のブラインド。
【請求項９】
上部固定竿（１１′）のウォーム軸線（４５′）周りの下部位置に固定されその回転軸に伝動回転体（５２′）と回転連結された駆動回転体（２７′）を結合に備える駆動モータ（６０）の移動動力手段を備えることを特徴とする請求項７記載の上下に複数の遮蔽調節面を備える水平遮蔽羽のブラインド
【請求項１０】
上部固定竿（１１°）に繋がって伸びる操作棒（６1°）の一部に固定に保持され回転軸を備えるミニ減速モータ（６0°）とその一方側を前記回転軸に結合され他方側に回転ロッド（５６°）の駆動伝動頭部（５５°）と回転連結且つ軸方向に摺動自在に嵌め合う駆動伝動孔（５１°）を備える伝動回転体（５２°）からなる移動動力手段を備えることを特徴とする請求項７記載の上下に複数の遮蔽調節面を備える水平遮蔽羽のブラインド。
【請求項１１】
上部固定竿（１１）に繋がって伸びる操作棒（６１）とウォームの従動伝動孔に嵌まる従動伝動頭部（５３ａ、５３ｂ）側より該操作棒内に導かれ保持部（５４）を備える回転ロッド（５６）と、前記操作棒の一部に設けたスライド溝（６２）とこれに選択スライド移動自在に嵌まり前記保持部を回転自在に保持する保持溝（６３）を備える選択釦（６４）を設け、前記選択釦により伝動回転体（５２）とウォームの回転連結の選択をする移動選択手段（３）を備えることを特徴とする請求項７記載の上下に複数の遮蔽調節面を備える水平遮蔽羽のブラインド。
【請求項１２】
上部固定竿（１１″）内に各リール軸（１８″、１９″）毎に独立した減速モータ（６０a、６０b）を固定に設け、それぞれの駆動回転体（２７a、２７b）をそれぞれの対応する前記リール軸と回転連結すると共に、上部固定竿（１１″）に繋がって伸びる操作棒（６１″）の一部に選択スイッチ（６４″）の移動選択手段（３″）を設けたことを特徴とする請求項１記載の上下に複数の遮蔽調節面を備える水平遮蔽羽のブラインド。
【請求項１３】
各テープリール（１５、１６、１７）のテープ繰出し部の下位に上部固定竿（１１）側に各リール軸（１８、１９、２０）と平行に支承されテープ導孔（２６）の真上にそのテープの垂下位置がくる接触調整ローラ（６５、６６、６７）を設けたことを特徴とする請求項１記載の上下に複数の遮蔽調節面を備える水平遮蔽羽のブラインド。
【請求項１４】
下部遮蔽調節面（６″）の上部の移動竿（１２″）内に羽操作軸（６８）を軸受（６９）を介して竿と平行に設け、前記羽操作軸に下部水平遮蔽羽（３１″）の一組の下部羽保持紐（２９″）を支持する下部羽保持手段（９″）を回転連結に設けると共に、前記竿保持テープ（２３″）の通過位置に対面する前記羽操作軸（６８）上にその外周を前記竿保持テープの面に接面する羽操作車（７０）を回転連結に設け、前記竿保持テープの背面側に押圧ローラ（７１）を設けたことを特徴とする請求項１記載の上下に複数の遮蔽調節面を備える水平遮蔽羽のブラインド。
【発明の詳細な説明】
【０００１】
【発明の属する技術分野】
本発明は、窓などに面して上部に設けた固定竿の下部に上下に移動調節の出来る複数の移動竿を備え、一面の装置内に複数の遮蔽調節面を備えるブラインドの新規な竿の移動と保持の装置並びに遮蔽調節面に関する。
【０００２】
【従来の技術】
従来、ブラインド面が上下に分離され、それぞれ独立した遮蔽調節面からなるブラインドとしては、上部固定竿（ヘッドボックス）を窓側に固定された上部ブラインドの下にその上部竿を上部固定竿（ヘッドボックス）内の昇降装置の昇降紐で吊られた下部ブラインドを設けたもの（実願昭６３−１１３１６１号参照）、あるいは、上部ブラインドの下部竿の下に更に下部ブラインドを設け、上下それぞれ独立に遮蔽調節するもの（特願平６−２１１６９３号参照）などが提案されている。ブラインド面の上部や中間部を開けられるもの等がある。
【０００３】
【発明が解決しようとする課題】
従来のような構成のこの種のブラインドでは、ブラインド面を上下に過ぎる竿保持紐の数が増えてすっきりしないばかりでなく、紐の取合いが複雑になり、製造の面でも、取り扱いの面でも難しくなる欠点がある。また、水平遮蔽羽に穿けた紐孔に複数本の竿保持紐を通す構成では、紐の巻取り部での他の側への噛み込みや、絡み合いなどあって、円滑な竿の移動操作が出来なくなる等の問題点がある。
また、窓際で外を見る際に、目の高さはそれぞれの人により、またその時の姿勢によって変わってくる。部屋内部の目隠しをするにしても、その望む位置とか範囲は時と場合により変わってくるものであり、これらの要求により一層細かく対応出来ることが望まれる。
従来のこの種のブラインドとして前述の実願昭６３−１１３１６１号は、上部ブラインド面の下部竿と下部ブラインド面の上部竿の間に外を眺望する適当な空間を形成することが可能であるが、ブラインドを下ろす際や眺望位置あるいは眺望隙間の調整の際に、下部ブラインド面の上部竿を希望する位置に移動させるべく、下部ブラインド面全体を移動させねばならない。そのための移動の操作が重くなるほか、その度毎に下部竿の調整も必要となり、操作が面倒であるなどの欠点がある。
【０００４】
本発明の目的は、複数の移動竿を単独に円滑に移動と保持の操作が出来、しかも、ブラインド面を過ぎる竿保持紐の線数が少なく、すっきりしたブラインド面を持つ上下に複数の遮蔽調節面を備える水平遮蔽羽のブラインドを提供することにある。
本発明の他の目的は、上部遮蔽調節面と下部遮蔽調節面の間に、その位置と間隔の調節が独立して素早く出来る眺望遮蔽調節面を備える複数の遮蔽調節面を備える水平遮蔽羽のブラインドを提供することにある
本発明のさらに他の目的は、竿の移動の際に、上位の竿や下位の竿あるいは外部の物に当るなどした時に、自動的に竿の下降が止まり、あるいは上位の竿が下位の竿の上昇移動に追従するなどして、竿移動に伴う問題を引き起すことのない複数の遮蔽調節面を備える水平遮蔽羽のブラインドを提供することにある。
本発明のさらに他の目的は、竿を下ろす際に、その一本一本を単独で動かすことなく、簡単な切換え操作で、下位の竿の降下に上位の竿を追従させて所望の位置まで降下させることが出来る操作の速い複数の遮蔽調節面を備える水平遮蔽羽のブラインドを提供することにある。
本発明のさらに他の目的は、複数のリール軸の駆動と伝動系を一ウォーム軸線上でコンパクトに結合し、上部固定竿より離れた位置から簡単な操作で移動しようとする竿の選択と移動操作が行えるようにした複数の遮蔽調節面を備える水平遮蔽羽のブラインドを提供することにある。
【０００５】
【課題を解決するための手段】
上記目的を達成するために、本発明のブラインドにおいては、上部固定竿の下に複数の移動竿を設け、上部固定竿内に複数の移動竿にそれぞれ対応し各々他の軸と同一位置に一組のリール手段を固定に備えるリール軸を上部固定竿側に設けた軸受を介して各々平行且つ回転自在に設け、各組のリール手段にそれぞれその一端を固定して巻かれた各組の竿保持体を水平遮蔽羽に空けた通孔と各移動竿に空けた導孔内を整列に貫通垂下せしめ各々その下端を各々の対応する移動竿に結合すると共に、上部固定竿を含むこれと繋がる部分に移動竿の移動動力手段と、移動動力手段の駆動回転体の回転をリール軸に回転連結する伝動手段と、移動する移動竿の選択をする移動選択手段を設け、各リール軸と駆動回転体側とを回転連結したものである。
ここで、回転連結とは、方形や多角形あるいはキー溝付きの丸軸等の軸側と、該軸上にあってこれらに適合する孔を有する孔側の物体とが直に、あるいはスリーブやブッシュを介して軸上に回転自在に保持されながらカップリングやクラッチ、歯車などの伝動手段を介して間接的に軸側と該軸上の物体側との回転が連結されていて、両者間の軸方向の相対的移動に関係なく回転力が伝達される状態にあることを包含しており、以下の説明においても同様である。
竿保持体は、真直で強固な、且つ柔軟性に富んだテープ状のもの、あるいはコード状のものが選択出来よう。
テープの材質としては、ステンレス帯鋼のような金属製、あるいはグラスファイバー等の織帯にＰＶＣ等の各種の被覆を施したもの、各種コードの芯にゴムその他の被覆を施した薄いベルトのようなもの、ナイロンその他のプラスチックテープなど広範囲の材質の利用が考えられる。
【０００６】
上部固定竿の下に各々独立して昇降する第一の移動竿と第二の移動竿と第三の移動竿を設け、上部固定竿と第一の移動竿間に上部羽保持紐に保持された上部水平遮蔽羽の上部遮蔽調節面を第二の移動竿と第三の移動竿間に下部羽保持紐に保持された下部水平遮蔽羽の下部遮蔽調節面を設けると共に、第一の移動竿と第二の移動竿間にその位置並びに間隔を独立して調節する眺望遮蔽調節面を設けることも出来る。
【０００７】
また、上部固定竿内のリール軸の部位にその一端を上部固定竿側に固着し他端をリール軸側の一部に固着し移動竿引上げ方向と反対の回転方向に捩じられた弾性体のテープないしコード張り手段を設けると共に、リール軸が移動動力手段の駆動回転体側と繋がる回転連結部に駆動回転体側の移動竿引き上げ方向の回転を伝達し反対方向の回転を伝達しない一方向クラッチを設けることが望ましい。
【０００８】
さらに、複数の移動竿の中で上位側に位置する移動竿のそれぞれに対応するリール軸に、そのリール軸が移動動力手段の駆動回転体側と繋がる回転連結部に回転の連結と切離しをする切換えクラッチを設けることが望ましい。
ここで、上位側の移動竿とは、最下位の移動竿以外の竿を言い、移動竿が二本の装置では上位第一目のリール軸に相当し、同様の効果が得られる。また、移動竿が三本の装置であっても、上位側の移動竿の何れか一本のリール軸側に該切換えクラッチを設けることで類似の効果が得られ、これらの全てを包含しているものである。
一方向クラッチ及び切換えクラッチ等は色々な形式のものが一般に広く普及しており、この例に示されるものに限定されることなく、それらを広く利用し得ることは当然である。
【０００９】
上部固定竿内に各移動竿に対応する複数のリール軸を縦並びに軸受を介して平行且つ回転自在に設け、縦の一ウォーム軸線と交わる位置の各リール軸上にウォーム歯車を回転連結に設けると共に、一ウォーム軸線上に各ウォーム歯車のそれぞれに噛合いその軸心部に軸方向に貫通する従動伝動孔を備えるウォームを縦並びに軸受を介して回転自在に設け、上部固定竿を含むこれと繋がる部分に回転自在に支持されその軸心部に駆動伝動孔を備え移動動力手段の駆動回転体に回転連結された伝動回転体と、その一方側に従動伝動孔に回転連結且つ軸方向に摺動自在に嵌め合う従動伝動頭部を固着に備え他方側に駆動伝動孔に回転連結且つ軸方向に摺動自在に嵌め合う駆動伝動頭部と保持部を固着に備える回転ロッドと、回転ロッドの保持部を回転自在且つ選択スライド移動可能に保持する選択釦の移動選択手段を備えた伝動手段を設けるとよい。
ここで、駆動及び従動の伝動孔は、それぞれ相手側の回転ロッドの対応する伝動頭部に適合した方形や多角形あるいはキー溝付きの孔で、回転力の伝達をする孔である。
また、選択スライド移動とは、ノッチ等で予め定められた位置にスライドしてその位置に保持され得る移動形態のことを言う。
回転ロッドは、回転計等の広い分野で使用されている可撓性に富んだ柔軟なワイヤー構造のものなども適当である。
【００１０】
そして、上部固定竿の縦の一ウォーム軸線周りの手前側の位置に軸受を介して回転自在に支承され操作コードのシーブと一体に結合され伝動回転体と回転連結された駆動回転体の手動の移動動力手段を設けることが出来る。
【００１１】
さらに、上部固定竿の縦の一ウォーム軸線周りの位置にその回転軸に伝動回転体と回転連結された駆動回転体を結合に備える駆動モータを固定した移動動力手段を設けることも出来る。
ここで、駆動回転体側と伝動回転体側の回転連結の仕方には、傘歯車やウォーム・ウォーム歯車伝動機構のように回転軸が交差するものに限らず、伝動機構の選択は自由であって、平行なものや適当な角度で連結するなど任意に選択することが可能である。
【００１２】
さらに、上部固定竿に繋がって伸びる操作棒の一部に該操作棒に固定に保持され回転軸を備えるミニ減速モータとその一方側を回転軸に結合され他方側に回転ロッドの駆動伝動頭部と回転連結且つ軸方向に摺動自在に嵌め合う駆動伝動孔を備える伝動回転体からなる移動動力手段を設けることも出来る。
【００１３】
また、上部固定竿に繋がって伸びる操作棒と、その一方側がウォームの従動伝動孔に嵌まり他方側が操作棒内に導かれ保持部を備える回転ロッドと、操作棒側の一部に設けたスライド溝と、これに選択スライド移動自在に嵌まり保持部を回転自在に保持する保持溝を備える選択釦からなる移動選択手段を設けるとよい。
【００１４】
上部固定竿内に各リール軸毎に独立した減速モータを固定に設け、それぞれの駆動回転体をそれぞれの対応するリール軸と回転連結すると共に、上部固定竿に繋がって伸びる操作棒の一部に選択スイッチの移動選択手段を設けることも出来る。
減速モータはここに示す以外に、各々のリール軸に直角に設け、それぞれ単独にウォーム・ウォーム歯車伝動機構によりリール軸と回転連結するように実施することも出来よう。
また、本明細書の実施例で示される各モータは微細な寸動操作のきくブレーキ付きモータ等が適当である。
【００１５】
各テープリールのテープ繰出し部の下位に、上部固定竿側にリール軸と平行に支承されテープ導孔の真上にそのテープの垂下位置がくる接触調整ローラを設けることが望ましい。
各テープリールに巻かれるテープの巻き径は移動竿の位置によって変化しているので、繰出されるテープの位置も常に変化してくる。接触調整ローラの位置は、各リールから繰出されるテープの垂下位置がテープ導孔の真上にくるように置くとよい。さらに、必ずしも限定的ではないが、隣接するテープどうしが接触しないで僅かに隙間が出来るように、重合する前後側の接触調整ローラの位置を前後に僅かにずらして設けるとなおよい。
【００１６】
下部遮蔽調節面の上部の移動竿内に羽操作軸を軸受を介して竿と平行に設け、該羽操作軸上に下部水平遮蔽羽の一組の下部羽保持紐を支持する下部羽保持手段を回転連結に設け、下位の竿保持テープの通過位置に対面する羽操作軸上にその外周を竿保持テープの面に接面する羽操作車を回転連結に設けると共に、竿保持テープの背面側に押圧ローラを設け竿保持テープの動きにより下部遮蔽調節面の水平遮蔽羽の調節操作を行うようにすることが出来る。
ここで、羽操作車と押圧ローラは摩擦力の大きなゴム車なども適当である。
【００１７】
上記のように構成されたブラインドによれば、移動竿の中の対応するリール軸を操作することによって希望する移動竿のみを単独にスムーズに移動、保持の操作をすることが出来る。
【００１８】
また、各リール軸にテープないしコード張り手段と一方向クラッチを組合わせて設けることにより、下位の竿を引き上げる際に上位の竿に当たっても上位の竿も同時に引き上げられる。この際、上位の竿側のリール軸はテープないしコード張り手段による回転力で一方向クラッチ部分から連結が逃がされて回転し、その竿保持テープないしコードはテープないしコードリールに巻き取られながら常に引張り状態に保たれる。
また、竿を下げる際に下位の竿に触れたり、羽保持紐が伸びきってそれ以上竿が下がらない状態になった際に、その抵抗力と竿の重量とが均衡した位置で移動が止り、移動動力手段側の竿を下げる方向の回転は一方向クラッチで逃がされてリール軸には伝達されず、竿はその位置に保持される。そして竿保持テープは引張り状態に保たれる。
【００１９】
さらに、複数の移動竿の中で上位側に位置する移動竿のそれぞれに対応するリール軸に回転の連結と切離しをする切換えクラッチを設けることにより、ブラインドを降ろす際に、上位の移動竿のリール軸と駆動回転体側との連結を切離しておけば、上位の移動竿はその竿重量で下位の移動竿に乗っかった状態で共に降下する。所望の位置まで下がったところで連結に切換えることで、下位の移動竿の降下と共に上位の移動竿を所望の位置まで降下させることが出来る
【００２０】
各リール軸を縦の一ウォーム軸線上でウォーム・ウォーム歯車伝動機構により移動動力手段側と回転連結したことにより、移動動力手段の回転が伝動回転体より操作棒の選択釦よって操作される回転ロッドを介して希望のリール軸側に伝達される。
【００２１】
縦の一ウォーム軸線を持つ複数のウォーム・ウォーム歯車機伝動構部分へ手動のシーブの移動動力手段を結合したことにより、手動による大傘歯車の回転が小傘歯車の伝動回転体に高増速比で伝達される。
【００２２】
複数のウォーム・ウォーム歯車機伝動構を回転連結した縦の一ウォーム軸線上の伝動回転体にモータをウォーム・ウォーム歯車機構により回転連結したことにより、高回転の密実なモータの出力が高減速比で伝動回転体に伝達される。
【００２３】
操作棒の端部にミニ減速モータを固定に設けることにより回転ロッドの端部より直に移動動力手段の動力がウォームに伝達される。
【００２４】
上部固定竿に繋がって伸びる操作棒に選択釦の移動選択手段を設けることにより、選択釦の選択スライド移動により回転ロッドが決められた位置に保持されて移動動力手段の回転を希望のウォームに伝達し維持する。
【００２５】
上部固定竿に各リール軸毎に独立した減速モータと選択スイッチを設けることにより、それぞれの移動竿を個々にあるいは同時に希望する方向に移動・保持の操作をすることが出来る。
【００２６】
各テープないしコードリールの繰出し部の下位に接触調整ローラを設けることにより、テープないしコードどうしの強い接触が回避され、擦れ合いによるこれらの移動抵抗の増大や損耗が防止される。
【００２７】
下部遮蔽調節面の上部の移動竿内に羽操作車と下部羽保持手段を備える羽操作軸を設けることにより、下位の竿保持テープの動きが接面する羽操作車を介して羽操作軸に伝達され下部遮蔽調節面の水平遮蔽羽の調節操作が行われる。
【００２８】
眺望遮蔽調節面の上下の竿の対面部に凸凹の嵌まり合い部を設けることによって、両竿が閉じたときにしっかりと一体化されるので、隙間の発生が防止され、風などに対してもブラインド面全体が安定である。
【００２９】
【発明の実施の形態】
発明の実施の形態を実施例にもとずき図面を参照して説明する。
図１〜５において、窓枠の上部の壁に金具等を介して固定に取り付けられる上部固定竿１１の下部に、第一移動竿１２、第二移動竿１３及び第三移動竿１４が所望の間隔で保持されている。上部固定竿１１内には各移動竿にそれぞれ対応して各々一組のテープリール１５備える第一リール軸１８、テープリール１６を備える第二リール軸１９及びテープリール１７を備える第三リール軸２０が設けてある。各リール軸は四角の軸断面を持つロッドで、四角形の孔と円筒形の外周部を持つ軸受２１を介して支持板１１ａに平行且つ回転自在に保持されている。
各テープリールはリール軸に四角形の孔で嵌まり、各々他の軸のものと同一位置に縦に並ぶように配置され両側を止め輪で固定されている。
テープリール１５には第一竿保持テープ２２が、テープリール１６には第二竿保持テープ２３が、テープリール１７には第三竿保持テープ２４がそれぞれその一端をリールの胴部に固定されて巻かれ、その巻き出し端はそれぞれ第一位置決めローラ６５、第二位置決めローラ６６、第三位置決めローラ６７に案内されて上部固定竿１１の下部のテープ導孔２６よりテープ面が重なり合うようにして垂下している。
上部水平遮蔽羽３０及び下部水平遮蔽羽３１にはテープの垂下位置にテープ幅に合致したテープ孔２５が空けられており、各移動竿１２，１３，１４にも同じ位置にテープ導孔２６が空けてある。そこで、各竿保持テープ２２，２３，２４はこれらのテープ孔２５およびテープ導孔２６を貫通して垂下される。
ここで、第二位置決めローラ６６がテープ導孔２６の中央に位置しており、第一位置決めローラ６５はテープの厚さに加えて、例えば０．５ミリ程の隙間を与えるべく、第二位置決めローラ６６に対して先方側へずらしてある。また、第三位置決めローラ６７も同様に第二位置決めローラ６６に対して手前側へずらされている。そこで、隣接するテープどうしは殆ど接触なく上部固定竿１１のテープ導孔２６を通過する。
そして第一竿保持テープ２２の下端は第一移動竿１２の下部壁面の先方側に曲げ込まれて押え具７２で固定されている。同様にして第二竿保持テープ２３の下端は第二移動竿１３の上部壁面の先方側に押え具７３により、第三竿保持テープ２４の下端は第三移動竿１３の手前側の下部壁面に押え具７４によりそれぞれ固定されている。そこで、第一移動竿１２は第一リール軸１８に第二移動竿１３は第二リール軸１９に第三移動竿１４は第三リール軸２０に各々その薄い竿保持テープ２２，２３，２４を介して保持されている。
上部水平遮蔽羽３０は第一リール軸１８のテープリール１５の内側に設けられた一組の上部羽保持手段８の紐支持具７５にその上端部を吊られ、その下端部を第一移動竿１２の上部壁面に結合された一組の上部羽保持紐２８に保持されている。 上部羽保持紐２８はラダーコードとも呼ばれ、多数の上部水平遮蔽羽３０を一定の間隔で保持する。上部羽保持手段８はそれぞれ第一リール軸１８に嵌まる四角形の孔部とその外側の円筒形の外筒部と片側に鍔部を持った保持スリーブ７６と、押圧スリーブ７７と両側に鍔部を有し保持スリーブ７６の円筒部に回転自在に嵌まる紐支持具７５と、該紐支持具７５の両側の摩擦板７８と、押圧スリーブ７７の円筒部に嵌まる押しバネ７９とバネ受け８０からなり、両側を止め輪で所定の位置に位置決めされて第一リール軸１８に固定されている。そこで、紐支持具７５には、押しバネ７９の押圧力によって両側の鍔部にもたらされる摩擦力で第一リール軸１８側からの回転力が伝達され、上部水平遮蔽羽３０の傾きの調節が行われる。
このようにして上部固定竿１１と第一移動竿１２間に下部遮蔽調節面５が形成される。
下部水平遮蔽羽３１は第二移動竿１３内に設けた下部羽保持手段９の紐支持具８１にその上端部を吊られ、その下端部を第三移動竿１４の上部壁面に結合された一組の下部羽保持紐２９に保持されている。
下部羽保持手段９は従来から広く使用されているものと同様の機構からなっている。周知のように、下部羽操作棒８２を回すことでウォーム・ウォーム歯車機構を経て紐支持具８１の軸８３を回し、下部羽保持紐２９を動かして下部水平遮蔽羽３１を所望の傾き（仰角度や府角度）に調節して保持する。
このようにして、第二移動竿１３と第三移動竿１４間に下部遮蔽調節面６が形成されている。
第一移動竿１２と第二移動竿１３の間には遮蔽羽のようなものはなく、間隔と位置の調節が自在に出来る眺望遮蔽調節面７になっている。第一移動竿１２と、第二移動竿１３の位置を移動させることによって、希望する位置に希望する間隔の眺望隙間を設けることが出来る。
第一移動竿１２はその軸直角方向の断面形状において、下部壁面８４の中央部が全長にわたって上方に向かって凹形に窪んだ形になっている。これに合わせて第二移動竿１３の上部壁面８５の中央部は竿の全長にわたって上方に向かって凸形に突出した形になっている。この第一移動竿１２と第二移動竿１３を閉じた際に、この凹部と凸部はピッタリ嵌まり合って一体的に結合し、両竿間の僅かな隙間の発生を遮る働きをする。このようにして、三つの遮蔽調節面が形成されている。
上部固定竿１１の右側に移動動力手段１と伝動手段２が設けてある。
移動動力手段１は上部固定竿１１に一体的にはめ込まれたケース８８に組込まれており、該ケース８８の手前側に前後方向に固定される車軸８９に軸受５６を介して回転自在に保持される大傘歯車の駆動回転体２７と、これと噛合いケース８８に軸受５９を介してそのボス部を回転自在に支承される小傘歯車の伝動回転体５２と、駆動回転体２７の背後に一体に結合されたシーブ５８を有している。伝動回転体５２はケース８８の下部にあって垂直に上方向に向いており、その軸心部に四角形孔の垂直に抜ける駆動伝動孔５１を備えている。シーブ５８は上部固定竿１１の手前側に現れたブラインド面と平行に立った円板で、その外周に設けられたコード溝９０に操作コード５７が掛けられている。そこで、操作コード５７でシーブ５８を回すことにより駆動回転体２７は回転させられる。
手動式の一つの好ましい移動動力手段１が構成される。
伝動回転体５２の軸心線は一ウォーム軸線４５と合致しており、各リール軸１２、１３、１４の手前側でこれらの軸心線と直角をなしている。伝動回転体５２の上部には一ウォーム軸線４５上に縦並びに三つのウォーム４７、４８、４９がケース８８の軸受部５０に回転自在に保持されて設けられている。
一方、各リール軸１８、１９、２０上にはウォーム４７、４８、４９とそれぞれ噛合うウォーム歯車４２、４３、４４が設けてあり、それぞれ長いスリーブ９１、９２、９３の外周部に回転自在に保持されている。各スリーブは軸側に同じ四角孔で嵌まって固定されており、軸と一緒にその位置で回転する。
ウォーム４７、４８、４９はそれぞれその軸心部に四角形孔の垂直に抜ける従動伝動孔４６を備えており、下方から伝動回転体５２の駆動伝動孔５１を貫通して一本の回転ロッド５６が挿入されている。
ケース８８の伝動回転体５２の真下に操作棒６１が結合されている。該操作棒６１はその操作端部に向かって下方へ伸びており、丸い柔軟な回転ロッド５６の下方側は操作棒６１の中を通り操作端部の中に回転自在且つスライド可能に保持されている。回転ロッド５６にはその端部側に輪状の保持部５４が一体に設けてある。操作端部の前面にスライド溝６２が設けてあり、該スライド溝６２には選択釦６４が上下にスライド自在に嵌まっている。選択釦６４は回転ロッド５６を越えて奥へ伸びるその脚部に保持溝６３を備えており、保持部５４を回転自在に保持している。スライド溝６２にはその溝の内壁面に回転ロッド５６の所要の移動量によって決められた間隔のノッチ溝１５０が設けてある。選択釦６４側には対応する位置に板バネのノッチ１５１が装着されている。そこで、選択釦６４はスライド溝６２内を各ノッチ溝１５０の位置に選択スライド移動させことが出来、回転ロッド５６をその選択された位置に保持することが出来る。
回転ロッド５６は、その上部に伝動回転体５２の駆動伝動孔５１の部位に該孔と回転連結且つ軸方向に摺動自在に嵌め合う駆動伝動頭部５５を固着に備えている。該駆動伝動頭部５５の上方はさらにウォームの従動伝動孔４６内に伸びており、従動伝動孔４６に回転連結且つ軸方向に摺動自在に嵌め合う従動伝動頭部５３ａ及び５３ｂを固着に備えている。
【００３０】
図５〜９において、選択釦６４は一番下のノッチの位置にあり、従動伝動頭部５３ｂがウォーム４９の上部に形成された従動伝動孔４６ｃに嵌まっている。従動伝動頭部５３ａはウォーム４８側にあるが上部の従動伝動孔４６ｂには嵌まらずその下部の導入部の円筒孔部内にある。そこで、伝動回転体５２の回転は回転ロッド５６を介してウォーム４９のみに伝達され、リール軸２０上のウォーム歯車４４のみを回転させる。選択釦６４を二番目のノッチ位置に移動させると、従動伝動頭部５３ｂはウォーム４９の従動伝動孔４６ｃを上へ抜けてウォーム４８側の円筒孔部内に移動し、従動伝動頭部５３ａがウォーム４８の従動伝動孔４６ｂに嵌まる。そこで、伝動回転体５２の回転はウォーム４８のみに伝達されリール軸１９上のウォーム歯車４３のみを回転させる。選択釦６４を一番上のノッチ位置に移動させると、従動伝動頭部５３ｂは上方に移動するがウォーム４８側の円筒孔部内に止まり、従動伝動頭部５３ａが上方に移動しウォーム４７の従動伝動孔４６ａに嵌まる。そこで、伝動回転体５２の回転はウォーム４７のみに伝達されリール軸１８上のウォーム歯車４２のみを回転させる。この例は、移動竿の数が三本の場合における選択釦６４の移動量を短縮した好ましい実施例であるが、従動伝動頭部の数は本来一つでもよく、特にかかる構造のみには限定されない。このようにして、伝動回転体と複数のウォームとの回転連結の選択をする移動選択手段３が構成されている
ウォーム歯車４２、４３、４４はその両側のボス部の外周部をケース８８の軸受部９４に回転自在に保持されて位置決めされている。
リール軸１８上において、ウォーム歯車４２の左側のボス部には外周に歯を持ったアーマチュアハブ９５が一体的に形成されている。該アーマチュアハブ９５の左側にはクラッチ回転体９６が同じスリーブ９１上に回転自在に、そして軸方向移動をスリーブ９１の鍔部で止められて保持されている。
クラッチ回転体９６の右側端面の外周沿いに鋸刃状の歯形のクラッチ歯９７が形成してある。一方、アーマチュアハブ９５上には左右にスライドするアーマチュア９８が回転連結に設けてあり、その左側端面にクラッチ歯９７に適合して噛合うクラッチ歯９９が形成されている。該アーマチュア９８の右側端面とアーマチュアハブ９５の右肩部との間には押圧バネ１００が設けてあり、アーマチュア９８は常時一定の力でクラッチ回転体９６側に押し付けられている。クラッチ歯の形状は矢印１１８で示す方向の回転、即ち、ウォーム歯車４２側が移動竿を引き上げる方向の回転を伝達し、反対方向の回転はアーマチュア９８の右方へのスライドによって逃がされる一方向クラッチ３７になっている。
クラッチ回転体９６の左側端面の外周沿いには細かい山形の歯形のクラッチ歯１０２が形成してある。一方、クラッチ回転体９６の左側のリール軸１８上にはスぺーサー１２０と軸受２１側との間に四角形の孔で直に軸に嵌まる固定アーマチュアハブ１０４が軸に回転連結に固定されている。該固定アーマチュアハブ１０４には、アーマチュア１０５が回転連結に且つ左右にスライドするように装着されている。アーマチュア１０５はその右側端面の外周沿いにクラッチ歯１０２に適合した歯面のクラッチ歯１０３を持っている。固定アーマチュアハブ１０４の右側端面とアーマチュア１０５の右側壁の内側面との間に、案内ピンに保持され周囲均等に配置された複数の押圧バネ１０６が設けてある。
図において、アーマチュア１０５は常時一定の力でクラッチ回転体９６側へ押し付けられて噛合った回転連結状態にある。アーマチュア１０５の左側の外周部にはシフター溝１０７が設けてあり、該シフター溝１０７に外部から連結と切離しの操作をするシフター１０８が嵌まっており、切換えクラッチ４０を構成している。
リール軸１９側において、ウォーム歯車４３から切換えクラッチ４１までのの間は、リール軸１８側と全く同一構成の一方向クラッチ３８と切換えクラッチ４１になっている。
アーマチュア１０９の外周部にはアーマチュア１０５同様のシフター溝が設けてあり、シフター１０８のもう一方側が嵌まっており、切換えクラッチ４０と切換えクラッチ４１は常に同時に切換えされる。
シフター１０８にはその手前側中間部にシフターピン１１０が設けてある。該シフターピン１１０は上部固定竿１１の前壁より外部へ突出してその端部にローラ１１１を備えている。上部固定竿１１の前壁にはセンターピン１１２で取付けられたカムレバー１１３が設けてあり、ローラ１１１はそのカム溝１１４に嵌まっている。カムレバー１１３にはその中ほどの位置に操作ロッド１１５が継手１１６を介して結合されており、該操作ロッド１１５を上下に操作することによりカムレバー１１３はセンターピン１１２を中心に首振り運動をする。
図において、カムレバー１１３は上へ上がっており、ローラ１１１は右側に移動している状態にある。ここで、操作ロッド１１５を矢印１１７で示すように下方へ引き下げることにより、カムレバー１１３が下方へ首を振りそのカム溝１１４はローラ１１１を左方へ移動させる。これによってシフター１０８はアーマチュア１０５とアーマチュア１０９を矢印１１９で示すように左方にスライドさせ、切換えクラッチ４０と切換えクラッチ４１の連結を切離す。
このようにして、リール軸１８及びリール軸１９側と駆動回転体２７側との連結と切離しの操作が手動により行われる。
リール軸２０側には、連結と切離しの切換えクラッチはなく、ウォーム歯車４４左側に一方向クラッチ３７と同一構造の一方向クラッチ３９を備えている。
該一方向クラッチ３９のクラッチ回転体１０１は、スリーブ９３の左側でリール軸２０上に四角形の孔で直に回転連結されており、リール軸２０は一方向クラッチ３９のみを介して駆動回転体２７側のウォーム歯車４４と回転連結されている。
【００３１】
図１０において、上部固定竿１１内の各リール軸１８、１９、２０の左側にテープ張り手段４が設けてある。
第一リール軸１８において、支持板１１ａ上の軸受２１より左側へ突出する軸端部にリング８６が固着されており、該リング８６と支持板１１ａの間にコイルバネの弾性体３４が装着されている。弾性体３４の右側の曲折端３２は支持板１１ａに穿けた孔に嵌まり上部固定竿１１側に固定されており、左側の曲折端３３はリング８６穿けた孔に嵌まり第一リール軸１８側にに固着されている。弾性体３４は、取付け時に第一移動竿１２を引上げる方向のリール軸回転方向と反対の方向に捩じられており、その反発力で第一リール軸１８には常に第一移動竿１２を引上げる方向（図３に矢印８７で示す方向）の回転力を生じている。第二リール軸１９及び第三リール軸２０にも同様にして弾性体３５及び弾性体３６により第二移動竿１３及び第三移動竿１４を引上げる方向の回転力が与えられている。
各リール軸１８、１９、２０には、駆動回転体２７側との間に各リール軸１８、１９、２０側の移動竿を引上げる方向（図３に矢印８７で示す方向）の回転に対し、これを逃がす方向の一方向クラッチ３７、３８、３９が設けてあるので、これら弾性体によるリール軸の回転力が各々の移動竿との間で竿保持テープ２２、竿保持テープ２３及び竿保持テープ２４を常に一定の力で引張る状態に保つ。
【００３２】
図１１〜１４に他の実施例が示されている。以下の説明では、前例と同じ部分については同一の符号に ′を付して示し、その説明を省略して主に異なる部分について述べることとする。
この実施例では、電気モータの移動動力手段１′を備えている。ケース８８′にはウォーム４７′、４８′、４９′の下部のウォーム軸線４５′上に駆動伝動孔５１′を備える伝動回転体５２′が軸受５９′により回転自在に保持されている。該伝動回転体５２′はウォーム歯車からなっており、ケース８８′の前壁面に直角に取付けられた駆動モータ６０の回転軸に結合されているウォームの駆動回転体２７′と噛合っている。ここでは、各移動竿１２′、１３′、１４′の移動操作と上部水平遮蔽羽３０′の傾き調節の操作が該駆動モータ６０によって行われる。
この実施例ではリール軸１８′、１９′上の切換えクラッチ４０′、４１′が電磁歯形クラッチになっている。
クラッチ回転体９６′の左側端面の外周沿いには、前例と同様の細かい山形の歯形のクラッチ歯１０２′が形成してある。一方、クラッチ回転体９６′の左側のリール軸１８′上には、スぺーサー１２０′と軸受２１′側との間に四角形の孔で直に軸に嵌まる固定アーマチュアハブ１０４′が軸に固定されている。該固定アーマチュアハブ１０４′の右側の歯部には、その右側端面の外周沿いにクラッチ歯１０３′を有するアーマチュア１０５′が左右にスライド自在に嵌まっている。固定アーマチュアハブ１０４′の左側の外周部には、軸受１２１を介して励滋コイル１２２を有するフィールドコア１２３が保持されている。固定アーマチュアハブ１０４′の右側端面には、アーマチュア１０５′の右側壁の内側面との間に、案内ピンに保持され周囲均等に配置された複数の押圧バネ１０６′が設けられており、アーマチュア１０５′は常時一定の力でクラッチ回転体９６′側へ押し付けられて噛合った回転連結状態にある。
そこで、励滋コイル１２２に通電されると、滋束によりアーマチュア１０５′は左側へ吸引されてクラッチ回転体９６′側との連結が切り離される。
このようにしてリール軸１８′側と駆動回転体２７′側との連結と切離しが切換えクラッチ４０′の電気的操作により行われる。
リール軸１９′側の切換えクラッチ４１′もリール軸１８′側と同じ構成になっている。
上部固定竿１１′の左側上部の壁にあるコンセントに充電用のアダプター１５２がに差込まれており、そのコードが上部固定竿１１′内の電池１５３に接続されており充電が行われる。竿の中ほどにモータ及び電磁歯形クラッチのリレー類、その他操作に要する構成部品をまとめた制御基板１５４が取付けられている。
ケース８８′の伝動回転体５２′部分の真下から操作棒６１′が下方に伸びており、その操作端部には移動選択手段３′の選択釦６４′の他に、駆動モータ６０の電源の入り、切りと回転方向、即ち移動竿の移動方向を選択するスイッチ釦１５５と、切換えクラッチ４０′及び４１′の連結と切離しを選択する切換釦１５６が設けてある。
以上のように、この実施例においては、操作棒６１′上の釦を操作することによって、下部水平遮蔽羽３１′の傾きの操作をのぞく全てのブラインド操作を行うことが出来る。
【００３３】
図１５〜１９にさらに他の実施例が示されている。以下の説明では、前例と同じ部分については同一の符号に ″を付して示し、その説明を省略して主に異なる部分について述べることとする。
この実施例において、移動竿は第一移動竿１２″と第二移動竿１３″の二本からなっており、上部固定竿１１″と第一移動竿１２″間に上部遮蔽調節面５″が、第一移動竿１２″と第二移動竿１３″間に下部遮蔽調節面６″が形成されている。リール軸１８″のテープリール１５″から垂下される竿保持テープ２２″は第一移動竿１２″に、リール軸１９″のテープリール１６″から垂下される竿保持テープ２３″は第二移動竿１３″にそれぞれ前例同様に押え具で固定されている。
上部水平遮蔽羽３０″は、前例同様第一リール軸１８″に設けられた一組の上部羽保持手段の紐支持具にその上端部を吊られ、その下端部を第一移動竿１２″の上部壁面に結合された一組の上部羽保持紐２８″に保持されている。
上部固定竿１１″内のリール軸１８″及び１９″の右側にそれぞれ独立した減速モータ６０ａ及び６０ｂが軸と平行に上部固定竿１１″側の壁に固定されている。これらのモータの回転軸に結合される駆動回転体２７ａ及び２７ｂは直にそれぞれの対応するリール軸と回転連結されており、該ブラインドの移動動力手段１″と伝動手段２″を構成している。
上部固定竿１１″の左側前面に操作棒６１″が垂下されており、その操作端部に移動竿毎に移動の方向ないし保持の選択をするスイッチ群１５９、並びに水平遮蔽羽の傾け方向ないし保持の選択をするスイッチ群１６０からなる選択スイッチ６４″が設けてある。図において、いずれもＨは保持（停止）を示し矢印は移動方向ないし傾け方向を示す。ここで、スイッチ群１６０は減速モータ６０ａ及び６０ｂを羽の操作に適した低速度で回転させる。このように電気の選択スイッチによる移動選択手段３″が設けられる。
下部遮蔽調節面６″の上部の移動竿１２″内に軸受６９を介して羽操作軸６８が水平且つ竿と平行に設けてある。該羽操作軸６８には下部水平遮蔽羽３１″の一組の下部羽保持紐２９″を支持する下部羽保持手段９″が上部羽保持手段と同じ間隔位置で回転連結に設けられている。該下部羽保持手段９″部は前例の上部羽保持手段８と同じ構成になっている。竿保持テープ２３″の通過する位置の羽操作軸６８上に、その外周を竿保持テープ２３″の面に接面する羽操作車７０が回転連結に設けられている。該羽操作車７０に接面する竿保持テープ２３″の背面位置に押圧ローラ７１が平行に設けてある。該押圧ローラ７１は、移動竿１２内の支持板１２４に羽操作軸６８と平行に固定されるピン１２５上に回転自在に保持されており、竿保持テープ２３″を羽操作車７０に押し付けている。そこで、竿保持テープ２３″の上下移動に追従して羽操作軸６８が回転する。この羽操作軸６８の回転によって、上部水平遮蔽羽３０″と同じように下部水平遮蔽羽３１″の傾きの調節操作が行われる。
【００３４】
図２０にさらに他の実施例が示されている。以下の説明では、前記第一例と同じ部分については同一の符号に °を付して示し、その説明を省略して主に異なる部分について述べることとする。
この実施例において、リール手段は各リール軸１８°、１９°、２０°に四角孔で保持されたコードリール１５°、１６°、１７°からなっている。
コードリール１５°には第一竿保持コード２２°巻かれており、その巻き出し部の下位の位置決めローラ６５°の溝に案内されて導孔２６°及び通孔２５°の右側を垂下している。同様にしてコードリール１６°の第二竿保持コード２３°は位置決めローラ６６°の溝に案内されて孔の中央を、コードリール１７°の第三竿保持コード２４°は位置決めローラ６７°の溝に案内されて孔の左側をそれぞれ横並びに整列されて竿及び水平遮蔽羽の孔内を貫通垂下しているている。
前例同様に、各リール軸にはコード張り手段により移動竿引き上げ方向の回転力が与えられており、各コードは引張り状態に維持され、弛んで絡み合うようなことが防止される。
【００３５】
図２１〜２２に示される実施例では、移動動力手段１ｐが上部固定竿１１ｐのケース８８ｐの下部に結合された操作棒６１ｐの操作端部に設けられている。
以下の説明では、前例と同じ部分については同一の符号に ｐを付して示し、その説明を省略して主に異なる部分について述べることとする。
回転ロッド５６ｐは，ウォーム４７ｐ、４８ｐ、４９ｐの従動伝動孔４６ａｐ、４６ｂｐ、４６ｃｐ内に嵌まる従動伝動頭部５３ａｐ及び５３ｂｐ側より操作端部に導かれており、保持部５４ｐを越えた先端部に駆動伝動頭部５５ｐを備えている。操作端部内に固定されるミニ減速モータ６０ｐにはその回転軸に直に伝動回転体５２ｐが結合されており、その駆動伝動孔５１ｐが駆動伝動頭部５５ｐを回転連結且つ軸方向に摺動自在に保持している。ミニ減速モータの下部の室にキャップ１５７に保護されるモータ用の交換電池１５８が装填される。
これにより、選択釦６４ｐにより移動する竿の選択がなされ、スイッチ釦１５５ｐによりその移動方向の選択とＮＯ，ＯＦＦ操作、即ち移動と保持の選択が行われる。
【００３６】
【発明の効果】
本発明は、以上説明したように構成されているので、以下に記載されるような効果が得られる。
【００３７】
竿保持テープ間の擦れ合いが滑らかで、紐のように絡むことなく、それぞれのリール軸を操作することで希望する移動竿のみを単独にスムーズに移動、保持の操作をすることが出来る。
また、各移動竿の竿保持テープが同一線上を重ね合せに垂下されるので、ブラインド面内を過ぎる移動竿保持紐の線数を最少に押さえることが出来、ブラインド面のすっきり感を損ねない。
さらに、竿保持コードが狭い間隔で横並びに案内されて垂下され、接触することなく、張った状態が維持されるので、絡むことなく希望する移動竿のみを単独にスムーズに移動、保持の操作をすることが出来る。
【００３８】
希望する移動竿のみを単独にスムーズに移動、保持の操作をすることが出来るので、眺望遮蔽調節面の位置と間隔の調節を迅速、且つ細かく行うことが出来る。
【００３９】
各リール軸におけるテープないしコード張り手段と一方向クラッチの組合わせ構成により、不用意な竿の下げ過ぎや上位の竿との衝突や持上げによる不具合、あるいは竿保持体の弛みや折れが回避され、複数の移動竿における竿の移動操作が円滑且つ迅速に行われる。
【００４０】
上位側に位置する移動竿のリール軸に切換えクラッチを設けることによって、移動竿の一本一本を下す操作をすることなく、竿の移動操作を簡素にし素早いブラインドの下し操作が出来る。
【００４１】
各リール軸を縦の一ウォーム軸線上でウォーム・ウォーム歯車伝動機構により移動動力手段側と回転連結したので、移動操作部の周りが上部固定竿内にコンパクトにまとめられた。
上部固定竿より伸びる操作棒に選択釦が設けられるので、上部固定竿より離れた位置から簡単な操作で希望の移動竿の移動操作を行うことが出来る。
【００４２】
複数のウォーム・ウォーム歯車機伝動構を回転連結した縦の一ウォーム軸線部分へ手動の移動動力手段を密実に結合したことにより、ブラインド面に平行な操作コードによる素早い手動操作が出来る。
【００４３】
複数のウォーム・ウォーム歯車機伝動構を回転連結した縦の一ウォーム軸線部分へ駆動モータの移動動力手段を結合したことにより、移動選択手段の選択釦とモータ及び電磁クラッチのスイッチ釦との組合わせで一本の操作棒上で全てのブラインド操作を行うことを可能にした。
【００４４】
操作棒の一部にミニ減速モータを固定に設けたことにより、高性能の電池とミニモータの組合わせにより、取付けや取扱いの面でも一層消費者向きのものになった。
【００４５】
上部固定竿に各リール軸毎に独立した減速モータと選択スイッチを設けたことにより、それぞれの移動竿を個々に、あるいは同時に希望する方向に移動・保持の操作をすることが出来るので、素早いブラインド面設定操作が行える。
【００４６】
各テープリールないしコードリールの繰出し部の下位に位置決めローラを設けることにより、テープないしコードどうしの強い接触が回避され、竿移動操作の抵抗の増大や竿保持体の損耗を防止することが出来る。
【００４７】
下部遮蔽調節面の上部の移動竿内に竿保持テープないしコードに接面する羽操作車と下部羽保持手段を備える羽操作軸を設けることにより、上部遮蔽調節面と同じように移動竿を動かす移動動力手段により下部遮蔽調節面の遮蔽調節操作を行うことが出来る。
【００４８】
眺望遮蔽調節面の上と下の竿の対面部に凸凹の嵌まり合い部を設けることによって、隙間の発生が防止され、風などに対してもブラインド面全体が安定する。
【図面の簡単な説明】
【図１】実施例を示すブラインドの正面図である。
【図２】図１のブラインドの右側面図である。
【図３】図１における３−３断面図で、各遮蔽調節面の一部分を省略して示した図である。
【図４】図１における４−４断面図で、各遮蔽調節面の一部分を省略して示した図である。
【図５】図１における右側の操作部周りを拡大して示す図である。
【図６】図５における６−６断面図である。
【図７】図５における７−７断面図である。
【図８】図６における８−０−０−８断面矢視図である。
【図９】図８におけるリール軸１８周りを拡大して示す図である。
【図１０】図１における上部固定竿の左側内部のテープ張り手段４周りを拡大して示す図である。
【図１１】他の実施例を示すブラインドの正面図である。
【図１２】図１１における右側の操作部周りを拡大して示す図である。
【図１３】図１２における１３−１３断面図である。
【図１４】図１３における１４−０−０−１４断面矢視図である。
【図１５】他の実施例を示すブラインドの正面図である。
【図１６】図１５における上部固定竿１１″の右側内部を拡大して示す図である。
【図１７】図１５における左側の移動選択手段３″周りを拡大して示す図である。
【図１８】図１５におけるＡ部を拡大して示す図である。
【図１９】図１８における１９−１９断面図である。
【図２０】他の実施例を示す上部固定竿１１°の右側の竿保持コードのリール部周りを拡大して示す図である。
【図２１】他の実施例を示す一ウォーム軸線４５ｐ上における上部固定竿直角方向の断面図である。
【図２２】図２０における操作棒６１ｐの下部の断面図である。
【符号の説明】
１、１″、１″、１ｐ 移動動力手段
２、２′、２″、２ｐ 伝動手段
３、３′、３″、３ｐ 移動選択手段
４、４′ テープ張り手段
５、５′、５″ 上部遮蔽調節面
６、６′、６″ 下部遮蔽調節面
７、７′ 眺望遮蔽調節面
８、８′ 上部羽保持手段
９、９′、９″ 下部羽保持手段
１１、１１′、１１″ 上部固定竿
１２、１２′、１２″ 第一移動竿
１３、１３′、１３″ 第二移動竿
１４、１４′、１４″ 第三移動竿
１５、１６、１７、１５″、１６″ テープリール
１５°、１６°、１７° コードリール
１８、１８′、１８″、１８° 第一リール軸
１９、１９′、１９″、１９° 第二リール軸
２０、２０′、２０° 第三リール軸
２１、２１′ 軸受
２２、２２′、２２″ 第一竿保持テープ
２３、２３′、２３″ 第二竿保持テープ
２４、２４′、２４″ 第三竿保持テープ
２２° 第一竿保持コード
２３° 第二竿保持コード
２４° 第三竿保持コード
２７、２７′、２７″ 駆動回転体
２８、２８′、２８″ 上部羽保持紐
２９、２９′、２９″ 下部羽保持紐
３０、３０′、３０″ 上部水平遮蔽羽
３１、３１′、３１″ 下部水平遮蔽羽
３４、３５、３６ 弾性体
３７、３８、３９ 、３７′、３８′、３９′ 一方向クラッチ
４０、４１、４０′、４１′ 切換えクラッチ
４２、４３、４４ 、４２′、４３′、４４′ ウォーム歯車
４５、４５′、４５ｐ 一ウォーム軸線
４７、４８、４９、４７′、４８′、４９′ ウォーム
５２、５２′、５２ｐ 伝動回転体
５６、５６′、５６ｐ 回転ロッド
６０ 駆動モータ
６０ａ、６０ｂ 減速モータ
６０ｐ ミニ減速モータ
６１、６１′、６１ｐ 操作棒
６８ 羽操作軸
７０ 羽操作車
７１ 押えローラ
８２、８２′ 下部羽操作棒
８８、８８′、８８ｐ ケース
【図１】
2005350852.tif 000003
【図２】
2005350852.tif 000004
【図３】
2005350852.tif 000005
【図４】
2005350852.tif 000006
【図５】
2005350852.tif 000007
【図６】
2005350852.tif 000008
【図７】
2005350852.tif 000009
【図８】
2005350852.tif 000010
【図９】
2005350852.tif 000011
【図１０】
2005350852.tif 000012
【図１１】
2005350852.tif 000013
【図１２】
2005350852.tif 000014
【図１３】
2005350852.tif 000015
【図１４】
2005350852.tif 000016
【図１５】
2005350852.tif 000017
【図１６】
2005350852.tif 000018
【図１７】
2005350852.tif 000019
【図１８】
2005350852.tif 000020
【図１９】
2005350852.tif 000021
【図２０】
2005350852.tif 000022
【図２１】
2005350852.tif 000023
【図２２】
2005350852.tif 000024